【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）によるワイヤレス通信の方法であって、
第１のセルにサービス提供している第１の基地局から、第１のチャネルの第１の周波数上で、第２のセルに対応する第２のチャネルの第２の周波数に関連する発見情報を受信することと、ここにおいて、前記第１の周波数はダウンリンク（ＤＬ）周波数であり、前記第２の周波数はアップリンク（ＵＬ）周波数であり、前記発見情報は、前記第１の基地局の前記第１の周波数にさらに関連し、前記第１の周波数における基準信号受信電力（ＲＳＲＰ）が前記ＵＥの送信電力またはリソースプール選択のうちの少なくとも１つを決定するために使用されるかどうかを示す基準信号情報を含む、
前記受信された発見情報に基づいて、前記第２のチャネルの前記第２の周波数上の１つまたは複数のＵＥを発見することと、
を備える、方法。
【請求項２】
前記第２の周波数に関連する前記発見情報は、システム情報ブロック（ＳＩＢ）または専用の無線リソース制御（ＲＲＣ）シグナリングのうちの少なくとも１つを通して受信される、請求項１に記載の方法。
【請求項３】
前記第２の周波数に関連する前記発見情報は、前記第２の周波数上の前記ＵＥのうちの１つまたは複数から発見信号が受信される、発見リソース情報を含む、請求項１に記載の方法。
【請求項４】
前記発見リソース情報は、発見サブフレームビットマップ、前記発見サブフレームビットマップについての繰り返しの数、または発見期間のうちの少なくとも１つを備える、請求項３に記載の方法。
【請求項５】
前記受信された発見情報は、前記第１の基地局の前記第１の周波数にさらに関連し、前記第２の周波数に関連する発見情報および前記第１の周波数に関連する発見情報を含む、請求項１に記載の方法。
【請求項６】
前記第２の周波数に関連する前記発見情報は、前記第２の周波数上の前記１つまたは複数のＵＥを発見するための１つまたは複数の無線パラメータを含み、ここにおいて、前記１つまたは複数の無線パラメータは、前記第２の周波数上の前記１つまたは複数のＵＥによって発見信号が送信される最大送信電力、ネットワークシグナリング（ＮＳ）値、公称電力（Ｐｏ）値、または電力制御のためのアルファ値のうちの少なくとも１つを含む、請求項１に記載の方法。
【請求項７】
前記第２の周波数に関連する前記発見情報は、発見リソースが前記第１の周波数に関するタイミング基準についてのものであることを示すタイミング基準情報を含み、
ここにおいて、前記ＵＥは、前記タイミング基準情報に基づいて、前記発見リソースにおいて、前記第２の周波数上の前記１つまたは複数のＵＥを発見する、
請求項１に記載の方法。
【請求項８】
前記第２の周波数に関連する前記発見情報は、前記第１の周波数上のダウンリンクに関する同期信号が前記第２の周波数上の発見リソースを決定するために使用されることができるかどうかを示す同期情報を含む、請求項１に記載の方法。
【請求項９】
前記同期情報は、隣接セルリソースがアンビギュイティウィンドウを含むことを示すアンビギュイティウィンドウ情報をさらに含む、請求項８に記載の方法。
【請求項１０】
前記ＵＥは、前記第２の周波数に関連するＳＩＢのもののうちの１つまたは複数に変化があるかどうかを示す、第１の基地局からの前記第１の周波数におけるシステム情報ブロック（ＳＩＢ）を受信する、請求項１に記載の方法。
【請求項１１】
請求項１乃至１０のいずれか一項に記載の方法を実施するための手段を備える、ワイヤレス通信のためのユーザ機器（ＵＥ）。
【請求項１２】
前記手段は、メモリと、前記メモリに結合された少なくとも１つのプロセッサとを備える、請求項１１に記載のＵＥ。
【請求項１３】
請求項１乃至８のいずれか一項に記載の方法の全てのステップをインプリメントするようにコンピュータによって実行可能なプログラム命令を備える、コンピュータプログラム。
【手続補正２】
【補正対象書類名】明細書
【補正対象項目名】００７９
【補正方法】変更
【補正の内容】
【００７９】
[0087]  先の説明は、当業者が、ここに説明された様々な態様を実施することができるように提供されている。これらの態様に対する様々な変更は、当業者に容易に理解されるものであり、ここに定義された一般的な原理は、他の態様に適用され得る。したがって、特許請求の範囲は、ここに示される態様に限定されるようには意図されておらず、請求項の文言と一致する最大の範囲を認められるべきであり、ここで、ある要素への単数形での言及は、そのように明確に述べられていない限りは「１つおよび１つのみ」を意味するのではなく、「１つまたは複数」を意味するように意図されている。「例示的な（exemplary）」という用語は、ここで「例、実例、または例示としての役割を果たす」という意味で使用される。「例示的」であるとここで説明されたいずれの態様も、必ずしも、他の態様よりも好ましいまたは有利であると解釈されるべきではない。そうでないとの明確な記載がない限り、「いくつかの（some）」という用語は、１つまたは複数に言及するものである。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」のような組合せは、Ａ、Ｂ、および／またはＣの任意の組合せを含み、マルチプルな（multiples of）Ａ、マルチプルなＢ、またはマルチプルなＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」のような組合せは、Ａのみ、Ｂのみ、Ｃのみ、ＡとＢ、ＡとＣ、ＢとＣ、またはＡとＢとＣであり得、ここで、任意のこのような組合せは、Ａ、Ｂ、またはＣの１つまたは複数のメンバーを含み得る。当業者に知られている、あるいは後に知られることになる本開示全体にわたって説明された様々な態様の要素に対するすべての構造的および機能的な同等物は、参照によってここに明確に組み込まれ、特許請求の範囲に包含されるように意図されている。さらに、本明細書におけるいかなる開示も、そのような開示が特許請求の範囲に明確に記載されているか否かに関わらず、公衆に献呈されることを意図したものではない。「モジュール」、「メカニズム」、「要素」、「デバイス」等の用語は、「手段」という用語の代用ではない可能性がある。したがって、要素が「〜のための手段」という表現を使用して明記されていない限り、請求項のいずれの要素もミーンズプラスファンクションとして解釈されるべきではない。
以下に本願の出願当初の特許請求の範囲に記載された発明を付記する。
［Ｃ１］
ユーザ装置（ＵＥ）によるワイヤレス通信の方法であって、
第１のセルにサービス提供している第１の基地局から、第１のチャネルの第１の周波数上で、第２のセルに対応する第２のチャネルの第２の周波数に関連する発見情報を受信することと、ここにおいて、前記第１の周波数はダウンリンク（ＤＬ）周波数であり、前記第２の周波数はアップリンク（ＵＬ）周波数である、
前記受信された発見情報に基づいて、前記第２のチャネルの前記第２の周波数上の１つまたは複数のＵＥを発見することと、
を備える、方法。
［Ｃ２］
前記第２の周波数に関連する前記発見情報は、システム情報ブロック（ＳＩＢ）または専用の無線リソース制御（ＲＲＣ）シグナリングのうちの少なくとも１つを通して受信される、Ｃ１に記載の方法。
［Ｃ３］
前記第２の周波数に関連する前記発見情報は、前記第２の周波数上の前記ＵＥのうちの１つまたは複数から発見信号が受信される、発見リソース情報を含む、Ｃ１に記載の方法。
［Ｃ４］
前記発見リソース情報は、発見サブフレームビットマップ、前記発見サブフレームビットマップについての繰り返しの数、または発見期間のうちの少なくとも１つを備える、Ｃ３に記載の方法。
［Ｃ５］
前記受信された発見情報は、前記第１の基地局の前記第１の周波数にさらに関連し、前記第２の周波数に関連する発見情報および前記第１の周波数に関連する発見情報を含む、Ｃ１に記載の方法。
［Ｃ６］
前記第２の周波数に関連する前記発見情報は、前記第２の周波数上の前記１つまたは複数のＵＥを発見するための１つまたは複数の無線パラメータを含み、ここにおいて、前記１つまたは複数の無線パラメータは、前記第２の周波数上の前記１つまたは複数のＵＥによって発見信号が送信される最大送信電力、ネットワークシグナリング（ＮＳ）値、公称電力（Ｐｏ）値、または電力制御のためのアルファ値のうちの少なくとも１つを含む、Ｃ１に記載の方法。
［Ｃ７］
前記第２の周波数に関連する前記発見情報は、発見リソースが前記第１の周波数に関するタイミング基準についてのものであることを示すタイミング基準情報を含み、
ここにおいて、前記ＵＥは、前記タイミング基準情報に基づいて、前記発見リソースにおいて、前記第２の周波数上の前記１つまたは複数のＵＥを発見する、
Ｃ１に記載の方法。
［Ｃ８］
前記第２の周波数に関連する前記発見情報は、前記第１の周波数上のダウンリンクに関する同期信号が前記第２の周波数上の発見リソースを決定するために使用されることができるかどうかを示す同期情報を含む、Ｃ１に記載の方法。
［Ｃ９］
前記同期情報は、隣接セルリソースがアンビギュイティウィンドウを含むことを示すアンビギュイティウィンドウ情報をさらに含む、Ｃ８に記載の方法。
［Ｃ１０］
前記受信された発見情報は、前記第１の基地局の前記第１の周波数にさらに関連し、前記第１の周波数における基準信号受信電力（ＲＳＲＰ）が前記ＵＥの送信電力またはリソースプール選択のうちの少なくとも１つを決定するために使用されるかどうかを示す情報を含む、Ｃ１に記載の方法。
［Ｃ１１］
ワイヤレス通信のためのユーザ装置（ＵＥ）であって、
第１のセルにサービス提供している第１の基地局から、第１のチャネルの第１の周波数上で、第２のセルに対応する第２のチャネルの第２の周波数に関連する発見情報を受信するための手段と、ここにおいて、前記第１の周波数はダウンリンク（ＤＬ）周波数であり、前記第２の周波数はアップリンク（ＵＬ）周波数である、
前記受信された発見情報に基づいて、前記第２のチャネルの前記第２の周波数上の１つまたは複数のＵＥを発見するための手段と、
を備える、ＵＥ。
［Ｃ１２］
前記第２の周波数に関連する前記発見情報は、システム情報ブロック（ＳＩＢ）または専用の無線リソース制御（ＲＲＣ）シグナリングのうちの少なくとも１つを通して受信される、Ｃ１１に記載のＵＥ。
［Ｃ１３］
前記第２の周波数に関連する前記発見情報は、前記第２の周波数上の前記ＵＥのうちの１つまたは複数から発見信号が受信される、発見リソース情報を含む、Ｃ１１に記載のＵＥ。
［Ｃ１４］
前記発見リソース情報は、発見サブフレームビットマップ、前記発見サブフレームビットマップについての繰り返しの数、または発見期間のうちの少なくとも１つを備える、Ｃ１３に記載のＵＥ。
［Ｃ１５］
前記受信された発見情報は、前記第１の基地局の前記第１の周波数にさらに関連し、前記第２の周波数に関連する発見情報および前記第１の周波数に関連する発見情報を含む、Ｃ１１に記載のＵＥ。
［Ｃ１６］
前記第２の周波数に関連する前記発見情報は、前記第２の周波数上の前記１つまたは複数のＵＥを発見するための１つまたは複数の無線パラメータを含み、ここにおいて、前記１つまたは複数の無線パラメータは、前記第２の周波数上の前記１つまたは複数のＵＥによって発見信号が送信される最大送信電力、ネットワークシグナリング（ＮＳ）値、公称電力（Ｐｏ）値、または電力制御のためのアルファ値のうちの少なくとも１つを含む、Ｃ１１に記載のＵＥ。
［Ｃ１７］
前記第２の周波数に関連する前記発見情報は、発見リソースが前記第１の周波数に関するタイミング基準についてのものであることを示すタイミング基準情報を含み、
ここにおいて、前記第２の周波数上の前記１つまたは複数のＵＥを発見するための前記手段は、前記タイミング基準情報に基づいて、前記発見リソースにおいて、前記第２の周波数上の前記１つまたは複数のＵＥを発見するように構成される、
Ｃ１１に記載のＵＥ。
［Ｃ１８］
前記第２の周波数に関連する前記発見情報は、前記第１の周波数上のダウンリンクに関する同期信号が前記第２の周波数上の発見リソースを決定するために使用されることができるかどうかを示す同期情報を含む、Ｃ１１に記載のＵＥ。
［Ｃ１９］
前記同期情報は、隣接セルリソースがアンビギュイティウィンドウを含むことを示すアンビギュイティウィンドウ情報をさらに含む、Ｃ１８に記載のＵＥ。
［Ｃ２０］
前記受信された発見情報は、前記第１の基地局の前記第１の周波数にさらに関連し、前記第１の周波数における基準信号受信電力（ＲＳＲＰ）が前記ＵＥの送信電力またはリソースプール選択のうちの少なくとも１つを決定するために使用されるかどうかを示す情報を含む、Ｃ１１に記載のＵＥ。
［Ｃ２１］
ワイヤレス通信のためのユーザ装置（ＵＥ）であって、
メモリと、
前記メモリに結合された少なくとも１つのプロセッサと、
を備え、前記少なくとも１つのプロセッサは、
第１のセルにサービス提供している第１の基地局から、第１のチャネルの第１の周波数上で、第２のセルに対応する第２のチャネルの第２の周波数に関連する発見情報を受信することと、ここにおいて、前記第１の周波数はダウンリンク（ＤＬ）周波数であり、前記第２の周波数はアップリンク（ＵＬ）周波数である、
前記受信された発見情報に基づいて、前記第２のチャネルの前記第２の周波数上の１つまたは複数のＵＥを発見することと、
を行うように構成される、ＵＥ。
［Ｃ２２］
前記第２の周波数に関連する前記発見情報は、システム情報ブロック（ＳＩＢ）または専用の無線リソース制御（ＲＲＣ）シグナリングのうちの少なくとも１つを通して受信される、Ｃ２１に記載のＵＥ。
［Ｃ２３］
前記第２の周波数に関連する前記発見情報は、前記第２の周波数上の前記ＵＥのうちの１つまたは複数から発見信号が受信される、発見リソース情報を含む、Ｃ２１に記載のＵＥ。
［Ｃ２４］
前記発見リソース情報は、発見サブフレームビットマップ、前記発見サブフレームビットマップについての繰り返しの数、または発見期間のうちの少なくとも１つを備える、Ｃ２３に記載のＵＥ。
［Ｃ２５］
前記受信された発見情報は、前記第１の基地局の前記第１の周波数にさらに関連し、前記第２の周波数に関連する発見情報および前記第１の周波数に関連する発見情報を含む、Ｃ２１に記載のＵＥ。
［Ｃ２６］
前記第２の周波数に関連する前記発見情報は、前記第２の周波数上の前記１つまたは複数のＵＥを発見するための１つまたは複数の無線パラメータを含み、ここにおいて、前記１つまたは複数の無線パラメータは、前記第２の周波数上の前記１つまたは複数のＵＥによって発見信号が送信される最大送信電力、ネットワークシグナリング（ＮＳ）値、公称電力（Ｐｏ）値、または電力制御のためのアルファ値のうちの少なくとも１つを含む、Ｃ２１に記載のＵＥ。
［Ｃ２７］
前記第２の周波数に関連する前記発見情報は、発見リソースが前記第１の周波数に関するタイミング基準についてのものであることを示すタイミング基準情報を含み、
ここにおいて、前記第２の周波数上の前記１つまたは複数のＵＥを発見するように構成される前記少なくとも１つのプロセッサは、前記タイミング基準情報に基づいて、前記発見リソースにおいて、前記１つまたは複数の隣接しているＵＥを発見するように構成される、
Ｃ２１に記載のＵＥ。
［Ｃ２８］
前記第２の周波数に関連する前記発見情報は、前記第１の周波数上のダウンリンクに関する同期信号が前記第２の周波数上の発見リソースを決定するために使用されることができるかどうかを示す同期情報を含む、Ｃ２１に記載のＵＥ。
［Ｃ２９］
前記同期情報は、隣接セルリソースがアンビギュイティウィンドウを含むことを示すアンビギュイティウィンドウ情報をさらに含む、Ｃ２８に記載のＵＥ。
［Ｃ３０］
前記受信された発見情報は、前記第１の基地局の前記第１の周波数にさらに関連し、前記第１の周波数における基準信号受信電力（ＲＳＲＰ）が前記ＵＥの送信電力またはリソースプール選択のうちの少なくとも１つを決定するために使用されるかどうかを示す情報を含む、Ｃ２１に記載のＵＥ。
［Ｃ３１］
ワイヤレス通信のためのコンピュータ実行可能コードを記憶するコンピュータ読み取り可能な媒体であって、
第１のセルにサービス提供している第１の基地局から、第１のチャネルの第１の周波数上で、第２のセルに対応する第２のチャネルの第２の周波数に関連する発見情報を受信することと、ここにおいて、前記第１の周波数はダウンリンク（ＤＬ）周波数であり、前記第２の周波数はアップリンク（ＵＬ）周波数である、
前記受信された発見情報に基づいて、前記第２のチャネルの前記第２の周波数上の１つまたは複数のＵＥを発見することと、
を行うためのコードを備える、コンピュータ読み取り可能な媒体。
［Ｃ３２］
前記第２の周波数に関連する前記発見情報は、システム情報ブロック（ＳＩＢ）または専用の無線リソース制御（ＲＲＣ）シグナリングのうちの少なくとも１つを通して受信される、Ｃ３１に記載のコンピュータ読み取り可能な媒体。
［Ｃ３３］
前記第２の周波数に関連する前記発見情報は、前記第２の周波数上の前記ＵＥのうちの１つまたは複数から発見信号が受信される、発見リソース情報を含む、Ｃ３１に記載のコンピュータ読み取り可能な媒体。
［Ｃ３４］
前記発見リソース情報は、発見サブフレームビットマップ、前記発見サブフレームビットマップについての繰り返しの数、または発見期間のうちの少なくとも１つを備える、Ｃ３３に記載のコンピュータ読み取り可能な媒体。
［Ｃ３５］
前記受信された発見情報は、前記第１の基地局の前記第１の周波数にさらに関連し、前記第２の周波数に関連する発見情報および前記第１の周波数に関連する発見情報を含む、Ｃ３１に記載のコンピュータ読み取り可能な媒体。
［Ｃ３６］
前記第２の周波数に関連する前記発見情報は、前記第２の周波数上の前記１つまたは複数のＵＥを発見するための１つまたは複数の無線パラメータを含み、ここにおいて、前記１つまたは複数の無線パラメータは、前記第２の周波数上の前記１つまたは複数のＵＥによって発見信号が送信される最大送信電力、ネットワークシグナリング（ＮＳ）値、公称電力（Ｐｏ）値、または電力制御のためのアルファ値のうちの少なくとも１つを含む、Ｃ３１に記載のコンピュータ読み取り可能な媒体。
［Ｃ３７］
前記第２の周波数に関連する前記発見情報は、発見リソースが前記第１の周波数に関するタイミング基準についてのものであることを示すタイミング基準情報を含み、
ここにおいて、前記第２の周波数上の前記１つまたは複数のＵＥを発見するためのコードを備える前記コンピュータ読み取り可能な媒体は、前記タイミング基準情報に基づいて、前記発見リソースにおいて、前記１つまたは複数の隣接しているＵＥを発見するためのコードを備える、
Ｃ３１に記載のコンピュータ読み取り可能な媒体。
［Ｃ３８］
前記第２の周波数に関連する前記発見情報は、前記第１の周波数上のダウンリンクに関する同期信号が前記第２の周波数上の発見リソースを決定するために使用されることができるかどうかを示す同期情報を含む、Ｃ３１に記載のコンピュータ読み取り可能な媒体。
［Ｃ３９］
前記同期情報は、隣接セルリソースがアンビギュイティウィンドウを含むことを示すアンビギュイティウィンドウ情報をさらに含む、Ｃ３８に記載のコンピュータ読み取り可能な媒体。
［Ｃ４０］
前記受信された発見情報は、前記第１の基地局の前記第１の周波数にさらに関連し、前記第１の周波数における基準信号受信電力（ＲＳＲＰ）が前記ＵＥの送信電力またはリソースプール選択のうちの少なくとも１つを決定するために使用されるかどうかを示す情報を含む、Ｃ３１に記載のコンピュータ読み取り可能な媒体。